(57)【要約】【課題】この発明は、緩衝力を調整して使用者に適した振動の減衰を行うことができるラケットの振動減衰具に関する。【解決手段】ラケット用緩衝具は、略円盤状の本体部と、該本体部に着脱可能に外嵌する略ドーナツ状のリング部とからなっており、前記本体部が、内部に中空部を有し小さなスチールボールを移動可能に内蔵した柱状の胴部と、該胴部の上面および下面に一体に設けられた上下のフランジと、前記胴部の中空と連通する小孔とからなっており、リング部が、中央の空部の内周を前記胴部の外周と略同一径に形成し、外周壁面に溝を設けたリング部を前記本体部の胴部に外嵌し、前記溝をラケットの弦に嵌合して取付け、ラケットの振動を減衰させることを特徴とする。【選択図】図１
2006218133.tif 000002
【特許請求の範囲】
【請求項１】
ラケットの弦を挟持する挟持溝が外周面に形成された軟質の弾性体からなり、ラケットの弦に固定されて振動を減衰させるラケット用緩衝具において、
ラケット用緩衝具が、軟質の本体部と、該本体部に着脱可能に外嵌する軟質のリング部とからなっており、
前記本体部が、内部に中空部を有し小さなスチールボールを移動可能に内蔵した柱状の胴部と、
該胴部の上面および下面に一体に設けられて該胴部より大径に突設された上フランジおよび下フランジと、
前記中空部と連通すると共に前記スチールボールより小径に設定されて前記胴部、上フランジまたは下フランジのいずれかの表面で開口する小孔とからなっており、
前記リング部が、前記胴部の外周に略隙間無く嵌合する中央穴部を有し、前記リングの外周が前記胴部のフランジの外周より外側に突出する大きさに形成し、前記リング部の外周壁面にラケットの弦を嵌合可能な溝を設けてなり、
前記リング部を前記本体部の上フランジまたは下リングを乗り越えさせて、前記胴部に嵌着し、リング部の溝をラケットの弦に嵌合してなることを特徴とするラケット用緩衝具。
【請求項２】
ラケット用緩衝具が、略円盤状の本体部と、該本体部に着脱可能に外嵌する略ドーナツ状のリング部とからなっており、
前記本体部の上フランジ部または下フランジの少なくとも一方で開口して胴部の中空と連通する小孔を形成しており、
リング部が、中央穴部の内周を前記胴部の外周と略同一径に形成し、リングの外周を前記胴部のフランジの外周より大径に形成してなり、リングの厚みを前記本体部の胴部の長さより短く設定すると共に、該リング部の外周壁面にラケットの弦を嵌合可能な溝を設けてなることを特徴とする請求項１に記載のラケット用緩衝具。
【請求項３】
リングの外周面に形成された溝が、リングの外周面の略中央で環状に形成されていることを特徴とする請求項１または２に記載のラケットの振動減衰具。
【請求項４】
リング部が、弾性の異なる複数のリング部からなっており、
本体部に嵌着するリング部を変更しうることを特徴とする請求項１、２または３に記載のラケットの振動減衰具。
【請求項５】
リング部が、リングの外周の径の異なる複数のリング部からなっており、
本体部に嵌着するリング部を変更しうることを特徴とする請求項１、２または３に記載のラケットの振動減衰具。
【発明の詳細な説明】
【技術分野】
【０００１】
本発明は、ラケットの振動減衰具に関するものである。
【背景技術】
【０００２】
従来、ラケットの振動減衰具として、例えば特開昭６２−１６７７４号のように弾性体からなると共に内部に鋼球に封入した円盤であって、該円盤の周壁に沿って弦を嵌め込むための環状溝を形成しており、縦横に張られたラケットの弦の互いに隣接した４本によって限定される４辺形の中に嵌め込まれ、弦の振動を減衰させる構造からなっている。
また、実用新案登録第３０９２１３４号では、円盤状の緩衝器の底面及び側面に挟持溝開設され、且つ緩衝器の縦面に１つの孔が開設され、該孔が内向きに延伸されて、該緩衝器の中央に開設された収納孔と連接し、該収納孔に金属ボールが内蔵された構成からなっており、ラケットによる打撃時に、打撃により発生する振動力が金属ボールに収納孔内で高周波振動を発生させ、これにより衝撃の騒音および振動力が緩衝器の軟質弾性特性および金属ボールの高周波振動に吸収されて、騒音の発生を減らし振動力を減衰させる構成が知られている。
しかし、使用者がラケットでボールを打撃する際に、ボールとの衝撃により発生する振動力および騒音は、ボールの速度や、使用者の打撃力、弦の張り具合などに関連して必ずしも一定ではないが、従来の振動減衰具や緩衝器ではこれらを調整することは困難であった。
【０００３】
【特許文献１】特開昭６２−１６７７４号公報  第３図
【特許文献１】実用新案登録第３０９２１３４号公報  図４
【発明の開示】
【発明が解決しようとする課題】
【０００４】
この発明は、上記課題を解決するために、本体部にリング部を着脱可能に嵌め込んで、本体部およびリング部の弾性力とスチールボールの振動によって弦の振動を減衰するものであり、リング部を変更することで減衰効果を調整することができるラケットの振動減衰具を提供することにある。
【課題を解決するための手段】
【０００５】
この発明は、上記課題を解決するために、
請求項１の発明では、
ラケットの弦を挟持する挟持溝が外周面に形成された軟質の弾性体からなり、ラケットの弦に固定されて振動を減衰させるラケット用緩衝具において、
ラケット用緩衝具が、軟質の本体部と、該本体部に着脱可能に外嵌する軟質のリング部とからなっており、
前記本体部が、内部に中空部を有し小さなスチールボールを移動可能に内蔵した柱状の胴部と、
該胴部の上面および下面に一体に設けられて該胴部より大径に突設された上フランジおよび下フランジと、
前記中空部と連通すると共に前記スチールボールより小径に設定されて前記胴部、上フランジまたは下フランジのいずれかの表面で開口する小孔とからなっており、
前記リング部が、前記胴部の外周に略隙間無く嵌合する中央穴部を有し、前記リングの外周が前記胴部のフランジの外周より外側に突出する大きさに形成し、前記リング部の外周壁面にラケットの弦を嵌合可能な溝を設けてなり、
前記リング部を前記本体部の上フランジまたは下リングを乗り越えさせて、前記胴部に嵌着し、リング部の溝をラケットの弦に嵌合してなることを特徴とする。
また、請求項２の発明では、
前記ラケット用緩衝具が、略円盤状の本体部と、該本体部に着脱可能に外嵌する略ドーナツ状のリング部とからなっており、
前記本体部の上フランジ部または下フランジの少なくとも一方で開口して胴部の中空と連通する小孔を形成しており、
リング部が、中央の中央穴部の内周を前記胴部の外周と略同一径に形成し、リングの外周を前記胴部のフランジの外周より大径に形成してなり、リングの厚みを前記本体部の胴部の長さより短く設定すると共に、該リング部の外周壁面にラケットの弦を嵌合可能な溝を設けてなることを特徴とする。
【０００６】
また、請求項３の発明では、
前記リングの外周面に形成された溝が、リングの外周面の略中央で環状に形成されていることを特徴とする。
更に、請求項４の発明では、
前記リング部が、弾性の異なる複数のリング部からなっており、本体部に嵌着するリング部を変更しうることを特徴とする。
また、請求項５の発明では、
前記リング部が、リングの外周の径の異なる複数のリング部からなっており、本体部に嵌着するリング部を変更しうることを特徴とする。
【発明の効果】
【０００７】
この発明のラケットの振動減衰具は、同一の本体部を使用しながら、弾性力の異なるリングを使用することで、弦の振動の減衰を調整することができる。
【発明を実施するための最良の形態】
【０００８】
この発明は、本体部にリング部を着脱可能に外嵌することで振動減衰具を組立て、リング部を変更可能とすることで、弦の振動の減衰の調整を実現した。
【実施例１】
【０００９】
以下にこの発明のラケットの振動減衰具の好適実施例について図面を参照しながら説明する。
図１〜図４に示すラケットの振動減衰具１は、略円盤状の本体部２と、該本体部２に着脱可能に外嵌する略ドーナツ状のリング部１１とからなっている。
【００１０】
［本体部］
前記本体部２は、図５に示すように、軟質の弾性体からなっており、図２に明瞭なように内部に中空部４を有し、該中空部４内に複数の極小さなスチールボール５を内蔵した柱状の胴部３と、該胴部３の上面および下面に一体に設けられて該胴部３より大径に突設された上フランジ６および下フランジ７と、該上フランジ部６または下フランジ７の少なくとも一方で開口されて前記胴部３の中空部４と連通する小孔８とからなっている。
【００１１】
［リング部］
リング部１１は、図６に示すように、ドーナツ状の軟質の弾性体からなっており、中央の中央穴部１３の内周を前記胴部３の外周と略同一径に形成している。
リング部１１の外周は、前記胴部３の上下のフランジ部６、７の外周より大径に形成されており、上下のフランジ部６、７の外側にリング部１１が抜け落ちないように設定されている。
【００１２】
また、リング部１１の厚みは、前記本体部２の胴部３の長さ（高さ）より短く設定されており、該リング部１１の外周壁面にはラケットＲの弦Ｇが嵌合し、対向する弦Ｇによって挟持される溝１５を設けている。
この溝１５は、直径方向の溝底部間の長さが、隣接する弦Ｇの弦Ｇの間隔より長くなるように設定されている。
【００１３】
［振動減衰具］
そして、前記本体部２とリング部１１とはいずれも軟質の弾性体からなっているので、図６に示すリング部１１の中央穴部１３を拡大し、図５に示す本体部２の上下のフランジ部６、７を縮小方向に撓ませて、前記リング部１１が、前記本体部２の上フランジ６または下フランジ７を乗り越え前記胴部３に隙間無く嵌着するように嵌め込んで、図４に示す振動減衰具１とする。
これにより、振動減衰具１は、その外周面に、ラケットＲの弦Ｇが嵌合し対向する弦Ｇによって挟圧される溝１５が形成される（図３参照）。
【００１４】
このように形成された振動減衰具１は、縦横に設けられた直線状に延びる弦Ｇと弦Ｇの隙間に嵌め込み、前記リング部１１の溝１５に弦Ｇを嵌め込むようにして取り付ける（図１、図２参照）。
この溝１５に弦Ｇを嵌め込むと、対向する弦Ｇは溝底部に押されてそれぞれ外側へ膨らみ、弦Ｇの反発力で振動減衰具１は溝１５を介して挟圧される。
【００１５】
この状態において、ラケットでボールを打撃すると、ラケット頭部の振動は振動減衰具１を通して本体部２に内蔵されたスチールボール５に振動が伝播され、中空部４内でスチールボール５が急速に上下に振動して高周波振動となり、前記振動を減衰して、ラケットの柄に伝達される振動を抑えることができる。また、これにより騒音の発生も防ぐことができる。
【００１６】
本実施例では、本体部２に嵌着するリング部１１として、弾性力の異なる複数のリング部１１を用意しておく。
そこで、使用者は、自分に最適の弾性力のリング部１１を選択して、これを本体部２に嵌着することで、リングを介した振動の減衰力を変更することができ、減衰作用を最適に微調整した振動減衰具１を得ることができる。
【００１７】
弾性力の異なるリング部１１としては、リング部１１の素材として弾性力を異にした素材を用いたが、同一素材であってもリング部１１の外周の径を変えて弦Ｇへの装着時の弾性力を変えた複数のリング部１１を用いてもよい。
更に、本体部２の胴部３の直径を縦横の弦Ｇで形成される四角い仕切りの長さより長く設定しておけば、リング部１１の変更の他に、リング部１１を取り付けないで本体部２だけを用いて減衰力の調整の幅を広げた振動減衰具として利用することもできる。
【００１８】
また、上記実施例では、リング部はドーナツ状からなっているが、弦が溝から抜けないように隣接する弦と弦の間より大きい形状であれば正方形その他の多角形などであってもよい。
同様に本体部はリング部を外嵌するための芯となるものであればよく、円柱状に限らず角柱状などであってもよい。
その他、要するにこの考案の要旨を変更しない範囲で種々設計変更しうること勿論である。
【産業上の利用可能性】
【００１９】
この発明のラケットの振動減衰具は、テニスラケットに限らず、バトミントン、ラケットボール、スカッシュなど、要するにラケットを用いるスポーツに適用できる。
【図面の簡単な説明】
【００２０】
【図１】振動減衰具をラケットに取り付けた状態の要部拡大斜視図である。（実施例１）
【図２】図１の振動減衰具の断面図である。
【図３】振動減衰具の側面図である。
【図４】振動減衰具の斜視図である。
【図５】本体部の斜視図である。
【図６】リング部の斜視図である。
【符号の説明】
【００２１】
１    振動減衰具
２    本体部
３    胴部
４    中空部
５    スチールボール
６    上フランジ
７    下フランジ
８    小孔
１１    リング部
１３    中央穴部
１５    溝
Ｇ    弦
【図１】
2006218133.tif 000003
【図２】
2006218133.tif 000004
【図３】
2006218133.tif 000005
【図４】
2006218133.tif 000006
【図５】
2006218133.tif 000007
【図６】
2006218133.tif 000008